(57)【特許請求の範囲】
【請求項１】
通信回線を介して通信端末と接続され、該通信端末からの投票入力に基づいて投票されたカラオケの入曲リクエスト曲の投票数を蓄積するようにした、通信端末を用いるカラオケの入曲リクエスト曲投票装置であって、
前記カラオケの入曲リクエスト曲と該入力リクエスト曲に投票した通信端末の固有ＩＤとを共に記憶するための投票内容記憶装置と、
前記カラオケの入曲リクエスト曲に対する投票内容の閲覧を要求する閲覧要求入力を前記通信端末の操作に基づいて判定する閲覧要求入力判定手段と、
該閲覧要求入力判定手段により閲覧要求入力が判定された場合には、前記投票内容記憶装置に記憶されている該閲覧要求入力が操作された通信端末の固有ＩＤに対応するカラオケの入曲リクエスト曲についての投票数を含む投票内容を該通信端末に表示させる投票内容表示手段と、
前記通信端末による投票入力に応答して、該通信端末により投票されたカラオケの入曲リクエスト曲と共に該通信端末の固有ＩＤを前記投票内容記憶装置に記憶させる投票対象固有ＩＤ記憶手段と、
前記投票内容記憶装置に記憶されたカラオケの入曲リクエスト曲がそれに対する投票数に基づいてカラオケ演奏曲として当選したと決定された場合には、該当選したカラオケの入曲リクエスト曲に投票した通信端末へ該通信端末の固有ＩＤに基づいて当選の通知を行う当選通知手段と、
前記通信端末からの投票のためのアクセスが行われたときには、該通信端末による投票入力に先立って、投票対象リスト記憶装置に予め記憶された複数のカラオケの入曲リクエスト曲を示す投票対象リストを該通信端末に表示させる投票対象リスト表示手段と、
該投票対象リスト表示手段により表示される投票対象リストを並べ替え要求に基づいて該投票対象リストを並べ替える並替え手段と
を、含むことを特徴とする通信端末を用いるカラオケの入曲リクエスト曲投票装置。
【請求項２】
前記通信端末により投票すべき入曲リクエスト曲が入力されたか否かを該通信端末からの信号に基づいて判定する投票入力判定手段と、
該投票入力判定手段により入曲リクエスト曲が入力されたと判定されると、該入力された入曲リクエスト曲および該入曲リクエスト曲を投票した通信端末の固有ＩＤと重複する入曲リクエスト曲および固有ＩＤが既に入力されている場合には該入力された入曲リクエスト曲および固有ＩＤを除去する重複リクエスト防止手段と
を、さらに含むことを特徴とする請求項１の通信端末を用いるカラオケの入曲リクエスト曲投票装置。
【発明の詳細な説明】
【０００１】
【発明の属する技術分野】
本発明は、通信端末からの投票対象に投票する投票システムにおいて、所定の投票対象に対する投票内容の閲覧を要求する閲覧要求入力に基づいてその投票対象の投票内容を表示させるようにした投票方法および装置に関するものである。
【０００２】
【従来の技術および発明が解決しようとする課題】
カラオケにおける演奏曲などにおいては、視聴者による投票に基づいて新たな演奏曲が決定されて供給され、いわゆる入曲される。このような投票は、手紙、電話、インターネットなどの媒体を介して行われるのが一般的である。
【０００３】
しかしながら、従来の投票方法では、投票状況、たとえば投票した投票対象がその後にどのような結果となったかを投票者が知ることが困難であり、投票行為の興味がそがれる傾向があった。これに対し、会員登録を行い、会員番号でリクエストをすることで個人を特定し、一律に投票状況を知らせることが考えられるが、このようにすると、不特定多数の人が容易に利用することができなかった。
【０００４】
本発明は以上の事情を背景として為されたものであり、その目的とするところは、通信端末を用いて投票する場合に、投票者からの要求にしたがって投票状況を個別に知らせることができる投票装置を提供することにある。
【０００７】
【課題を解決するための手段】
かかる目的を達成するための装置発明の要旨とするところは、通信回線を介して通信端末と接続され、その通信端末からの投票入力に基づいて投票されたカラオケの入曲リクエスト曲の投票数を蓄積するようにした、通信端末を用いるカラオケの入曲リクエスト曲投票装置であって、(a) 前記カラオケの入曲リクエスト曲とその入力リクエスト曲に投票した通信端末の固有ＩＤとを共に記憶するための投票内容記憶装置と、(b) 前記カラオケの入曲リクエスト曲に対する投票内容の閲覧を要求する閲覧要求入力を前記通信端末の操作に基づいて判定する閲覧要求入力判定手段と、(c) その閲覧要求入力判定手段により閲覧要求入力が判定された場合には、前記投票内容記憶装置に記憶されている該閲覧要求入力が操作された通信端末の固有ＩＤに対応するカラオケの入曲リクエスト曲についての投票数を含む投票内容を前記通信端末に表示させる投票内容表示手段と、(d) 前記通信端末による投票入力に応答して、その通信端末により投票されたカラオケの入曲リクエスト曲と共にその通信端末の固有ＩＤを前記投票内容記憶装置に記憶させる投票対象固有ＩＤ記憶手段と、(e) 前記投票内容記憶装置に記憶されたカラオケの入曲リクエスト曲がそれに対する投票数に基づいてカラオケ演奏曲として当選したと決定された場合には、その当選したカラオケの入曲リクエスト曲に投票した通信端末へその通信端末の固有ＩＤに基づいて当選の通知を行う当選通知手段と、(f) 前記通信端末からの投票のためのアクセスが行われたときには、その通信端末による投票入力に先立って、投票対象リスト記憶装置に予め記憶された複数のカラオケの入曲リクエスト曲を示す投票対象リストをその通信端末に表示させる投票対象リスト表示手段と、(g) その投票対象リスト表示手段により表示される投票対象リストを並べ替え要求に基づいてその投票対象リストを並べ替える並替え手段とを、含むことにある。
【０００８】
【発明の効果】
このようにすれば、閲覧要求入力判定手段によりカラオケの入曲リクエスト曲に対する投票内容の閲覧を要求する閲覧要求入力が通信端末の操作に基づいて行われたと判定された場合には、前記投票内容記憶装置に記憶されているその閲覧要求入力が操作された通信端末の固有ＩＤに対応するカラオケの入曲リクエスト曲についての投票数を含む投票内容が投票内容表示手段により前記通信端末に表示されることから、投票者からの要求にしたがって投票状況すなわち投票内容を個別に知らせることができ、投票を活発にすることができる。また、前記投票対象固有ＩＤ記憶手段により前記投票内容記憶装置に記憶されたカラオケの入曲リクエスト曲がそれに対する投票数に基づいてカラオケ演奏曲として当選したと決定された場合には、その当選したカラオケの入曲リクエスト曲に投票した通信端末へその通信端末の固有ＩＤに基づいて当選の通知を行う当選通知手段を、さらに含むものであるから、投票したカラオケの入曲リクエスト曲がカラオケ演奏曲として当選した場合には、その当選を知らせる通知が予め記憶された通信端末の固有ＩＤに基づいてその通信端末へ送られるので、当選結果を直ちに知ることができる。また、通信端末による投票時において投票対象リスト内に所望のカラオケの入曲リクエスト曲が存在しない場合には、その所望のカラオケの入曲リクエスト曲を投票対象リストに追加することができる。
【００１０】
ここで、好適には、投票されたカラオケの入曲リクエスト曲が当選した場合の連絡先を前記固有ＩＤと共に記憶するための連絡先記憶装置と、前記通信端末からの投票結果の通知を求める入力が行われたか否かを判定する連絡要求入力判定手段と、その連絡要求入力判定手段により投票結果の通知を求める入力が判定された場合には、前記所定の通信端末の固有ＩＤに対応する連絡先の入力を求める画面を前記通信端末に表示させる連絡先入力画面表示手段とを、含むものである。このようにすれば、連絡先が未だ連絡先記憶装置に記憶されていない場合には、その連絡先の入力を求める画面が通信端末に表示されるので、投票者の当選通知を求める要求に従ってその投票者の連絡先が登録される。
【００１１】
また、好適には、前記通信端末からの投票のためのアクセスが行われたときには、その通信端末による投票入力に先立って、投票対象リスト記憶装置に予め記憶された複数のカラオケの入曲リクエスト曲を示す投票対象リストをその通信端末に表示させる投票対象リスト表示手段と、その投票対象リスト表示手段により表示された複数のカラオケの入曲リクエスト曲に新たなカラオケの入曲リクエスト曲を追加する入力が前記通信端末により行われたか否かを判定する追加入力判定手段と、その追加入力判定手段により追加入力が行われたと判定された場合には、その通信端末から入力された新たなカラオケの入曲リクエスト曲を前記投票対象リスト記憶装置に記憶させる投票対象記憶入力手段とを、さらに含むものである。このようにすれば、通信端末による投票時において投票対象リスト内に所望のカラオケの入曲リクエスト曲が存在しない場合には、その所望のカラオケの入曲リクエスト曲を投票対象リストに追加することができる。
【００１２】
【発明の好適な実施の形態】
以下、本発明の実施例を図面を参照しつつ詳細に説明する。
【００１３】
図１は、本発明の一実施例の投票方法を実行するための装置の一実施例、すなわち投票装置１０を含む投票システムの構成を説明する図である。図１において、通信端末としても機能する多数の携帯電話機１２は、複数の中継基地局１４を介して無線の通信チャンネルに接続され、その複数の中継基地局１４に接続された電話会社１６により携帯電話機１２の交換或いは接続が制御されるようになっている。この電話会社１６には、プロコトルを翻訳することによりチェックする機能を有するゲートウエイ１８、有線、無線、インターネットなどの公衆通信回線２０を介して、プロバイダなどと称される情報サービス会社のサーバ２２が接続されている。この情報サービス会社は、カラオケ演奏曲提供会社から提供される新たな演奏曲(入曲）の決定などのために、不特定多数による携帯電話機１２からの人気投票の集計、投票内容或いは投票状態の閲覧、当選の判定および入曲などの投票結果の通知などの投票およびそれに関連したサービスを実行する投票装置として機能している。
【００１４】
上記携帯電話機１２は、複数のキー２４および表示器２６を備え、携帯電話会社との契約によって通信可能とされるとともに、固有ＩＤ（ユーザ識別番号たとえば電話番号などの通信端末識別符号）が付されている。この固有ＩＤは、携帯電話機１２からの送信される信号内に付与されているが、付与されない場合はキー２４の操作により適宜入力されるようにしてもよい。上記複数のキー２４は通信相手の電話番号を入力するとき、リクエスト曲などの投票対象を入力するとき、投票内容の閲覧入力するときなどに用いられ、上記表示器２６には予め記憶された投票対象リスト、投票内容などが携帯電話機１２からのアクセスに応答して表示される。
【００１５】
また、上記情報サービス会社のサーバ２２は、ＣＰＵ、ＲＯＭ、ＲＡＭ、入出力インターフェースなどを有する所謂マイクロコンピュータと同様に構成されており、種々の情報を記憶したデータベース（ＤＢ）を記憶するためにたとえばＨＤＤ（ハードディスク）から構成される記憶装置２８を備え、たとえば曲名投票サービスでは、携帯電話機１２からの曲名投票操作によるその携帯電話機１２からの信号を処理して、投票された曲名および固有ＩＤを記憶するとともに、曲名毎に投票数を集計し、投票内容をその携帯電話機１２に表示させる。また、情報サービス会社は、投票対象リストに上げられている曲名のうちから投票数に基づいて当選が判定された曲名や、その入曲を投票者の連絡先へ通知する。
【００１６】
上記記憶装置２８は本発明の投票内容記憶装置を構成するものであり、それには、投票の対象となる予め定められた複数の曲が記載された投票対象リストを記憶する投票対象リスト記憶領域（投票対象リストデータベース）３０と、投票内容或いは投票状態を記憶する投票内容記憶領域（投票内容データベース）３２と、当選した曲名や入曲を知らせるための連絡先を記憶する連絡先記憶領域（連絡先データベース）３４とが設けられている。また、予め登録された会員を対象とするサービスなどの場合には、会員を予め登録しておくための会員データベースが設けられる。図２、図３、図４は、上記投票対象リストデータベース（ＤＢ）３０、投票内容データベース（ＤＢ）３２、連絡先データベース（ＤＢ）３４をそれぞれ示したものである。投票対象リストＤＢ３０は、リクエスト曲番号、曲名、その曲を歌っている歌手名、その曲が属するジャンル、状況、その曲に対するリクエスト数（リクエスト総数）、ＤＢに登録された登録日で構成され、各リクエスト曲ごとに作成される。投票内容ＤＢ３２は、投票日時、リクエスト曲番号、その曲に投票した携帯電話機（通信端末）１２の固有ＩＤで構成され、リクエストされるごとに作成される。連絡先ＤＢ３４は、携帯電話機（通信端末）１２の固有ＩＤと利用者が設定した連絡先とで構成され、各携帯電話機（通信端末）１２毎に作成される。管理用コンピュータ３８は、当選の判定、当選の通知などの投票管理を行うためのものであり、上記サーバ２２と接続されている。
【００１７】
図５は、上記サーバ２２の制御機能の要部すなわち投票制御機能を説明する機能ブロック線図である。図５において、このサーバ２２は、カラオケ演奏曲提供会社などからの依頼に従った投票システムを運用し、投票の受け付け、投票内容の閲覧、当選結果の通知、入曲の通知などを予め記憶されたプログラムに従って自動的に実行し、所定の携帯電話機（通信端末）１２へ表示させる機能を備えている。まず、投票アクセス判定手段５０は、カラオケ演奏曲をリクエスト（投票）するためのアクセスすなわち接続が携帯電話機１２から行われたか否かを、その携帯電話機１２から着信した信号に基づいて判定する。連絡要求入力判定手段５２は、その携帯電話機１２による投票結果の連絡を要求する入力がその携帯電話機１２から行われたか否かを判定する。連絡先入力画面表示手段５４は、その連絡要求入力判定手段５２により投票結果の連絡を求める入力が行われたと判定された場合には、その携帯電話機１２の固有ＩＤに対応する連絡先たとえばメイルアドレス、電話番号、ファクシミリ番号が連絡先記憶装置３４に登録（記憶）するために、たとえば図１３に示す連絡先入力画面をその携帯電話機１２の画面に表示させる。連絡先入力判定手段５８は、上記携帯電話機１２によりその連絡先の入力が行われたか否かを判定し、連絡先の入力が行われたと判定された場合にはその連絡先を固有ＩＤと共に上記連絡先記憶装置３４に記憶させる。
【００１８】
投票対象リスト表示手段６０は、上記投票アクセス判定手段５０により携帯電話機１２によるリクエスト（投票）のためのアクセスがあったと判定された場合は、投票対象リスト記憶装置３０に記憶されている予め定められた複数の投票対象すなわちリクエスト対象曲を表す図９の画面を携帯電話機１２の画面に表示させる。携帯電話機１２を操作している投票者は、その画面に表示されたリクエスト対象曲をカーソルを用いて選択することによりリクエスト入力を行う。図９の画面において、たとえば二重丸が示されている部分がカーソルにより選択された曲を示している。
【００１９】
追加入力判定手段６４は、上記図９の画面に表示されたリクエスト対象曲内に投票すべき曲が存在しない場合に、携帯電話機１２の操作者によってリクエスト対象曲の追加を求める操作が行われたか否かを判定し、リクエスト対象曲の追加を求める操作が行われたと判定した場合には、たとえば図１４に示すリクエスト対象曲を追加するための画面を携帯電話機１２の画面に表示させる。投票対象記憶入力手段６８は、その画面を用いて携帯電話機１２によりリクエスト対象曲の追加操作が行われた場合には、追加された新たなリクエスト対象曲およびそれに関連する情報を投票対象リスト記憶装置３０に記憶させる。
【００２０】
投票入力判定手段７０は、所定の投票対象すなわちリクエスト曲を入力するために携帯電話機１２の投票入力操作が行われたか否かが判定される。投票対象固有ＩＤ記憶手段７２は、上記投票入力判定手段７０により携帯電話機１２の投票入力操作が行われたと判定された場合は、入力されたリクエスト曲と携帯電話機１２の固有ＩＤを投票内容記憶装置３２内に投票対象毎に共に記憶させる。このようにして投票の記憶が完了すると、図１０或いは図１１に示す受け付け完了画面が携帯電話機１２の画面に表示される。
【００２１】
閲覧要求入力判定手段７４は、携帯電話機１２の操作によりその携帯電話機１２によって既に投票された所定のリクエスト曲に対する投票内容の閲覧を要求する閲覧要求入力が行われたか否かを判定する。投票内容表示手段７６は、この閲覧要求入力判定手段７４により所定の携帯電話機１２の操作による閲覧要求入力があったと判定された場合には、投票内容記憶装置を構成する記憶装置２８の記憶内容からその携帯電話機１２の固有ＩＤに基づいて既に記憶されているその固有ＩＤに対応するリクエスト曲の投票内容すなわち投票状態を示す画面たとえば図１２の画面を上記携帯電話機１２の画面に表示させる。また、当選通知手段７８は、所定のリクエスト曲の投票数に基づいて当選が判定された場合には、その所定のリクエスト曲に投票した携帯電話機１２の固有ＩＤに基づいて、予め登録された連絡先へリクエスト曲の当選の通知たとえばカラオケ演奏曲の入曲を通知する。
【００２２】
図１６および図１９は、前記情報サービス会社のサーバ２２の制御作動の要部すなわちカラオケ演奏曲のリクエストなどの投票サービスを実行するルーチンを説明するフローチャートである。図１６乃至図１９は投票制御ルーチンを示している。これらのルーチンは、数ミリ秒毎に繰り返し実行される。
【００２３】
図１６乃至図１９において、前記投票アクセス判定手段５０に対応するステップ（以下、ステップを省略する）Ｓ１では、所定の携帯電話機１２からの投票アクセスが行われたか否かが判断される。このＳ１の判断が否定される場合は他の処理が実行されるが、肯定される場合は、Ｓ２において、その所定の携帯電話機１２からその固有ＩＤが入力されたか否かが判断される。このＳ２の判断が否定される場合は、Ｓ３において、リクエスト曲などに対する投票利用が不可であることを示す図６の画面が表示される。しかし、上記Ｓ２の判断が肯定される場合は、Ｓ４において、連絡先データベース３４の記憶内容から固有ＩＤに基づいて上記連絡先が登録されているか否かが判断される。このＳ４の判断が肯定される場合は、Ｓ６において図７に示す個別メニューが表示されるが、Ｓ７において否定される場合は図８に示す汎用メニューが表示される。
【００２４】
次いで、Ｓ８において、上記個別メニュー或いは汎用メニューから「投票」が選択されたか否かが判断される。このＳ８の判断が肯定される場合は、前記投票対象リスト表示手段６０に対応するＳ９において、投票対象リストデータベース３０に記憶されている投票対象リストから、リクエスト曲番号、曲名、歌手名等のデータが抽出されて送信され、図９の画面に示すように上記所定の携帯電話機１２の画面に表示される。次いで、Ｓ１０において、図９の画面内の並べ替えすなわち最新順、ジャンル別などが選択されたか否かが判断される。このＳ１０の判断が肯定される場合は、Ｓ１１において最新順やジャンル別に並べ替えが行われた後、Ｓ１０以下が繰り返し実行される。そのＳ１０の判断が否定される場合は、前記追加入力判定手段６４に対応するＳ１２において、上記画面内の「曲名追加」が選択されることにより曲名追加を求める入力が行われたか否かが判断される。このＳ１２の判断が肯定される場合は、Ｓ１３において曲名追加のためにたとえば図１４の曲名追加画面が携帯電話機１２の画面に表示される。次いで、Ｓ１４において、追加された曲名が携帯電話機１２から送信されてきたか否かが判断される。このＳ１４の判断が否定されるうちは待機させられるが、肯定されると、前記投票対象記憶入力手段６８に対応するＳ１５において、投票対象リストデータベース３０に上記追加された曲名、リクエスト番号、状況、歌手名などが記憶されてから、前記Ｓ１０以下が繰り返し実行される。
【００２５】
上記Ｓ１２の判断が肯定される場合は、前記投票入力判定手段７０に対応するＳ１６において、投票対象すなわちリクエスト曲名が前記所定の携帯電話機１２から送信されたか否かが判断される。このＳ１６の判断が否定される場合は上記Ｓ１０以下が繰り返し実行されるが、肯定される場合は、重複リクエスト防止手段としてのＳ１７において、所定の携帯電話機１２によって選択されたリクエスト曲番号が抽出され、同一固有ＩＤのリクエスト曲の有無を投票内容データベース３２において検索し、重複するリクエストが除去される。即ち、同一人によって同じリクエスト曲が何度もリクエストされるのを防止している。次いで、前記投票対象固有ＩＤ記憶手段７２に対応するＳ１８において、前記Ｓ１７において同一固有ＩＤのリクエスト曲がなかった場合のみ、上記リクエスト曲番号、投票した携帯電話機１２の固有ＩＤ、投票日時から成る１組のデータが投票内容データベース３２に記憶される。次いで、Ｓ１９では、連絡先データベース３４を検索して、投票した携帯電話機１２の固有ＩＤに基づいて、メールアドレス、電話番号、ファクシミリ番号などの連絡先の有無を調査し、Ｓ２０において、連絡先の記入があるか否かが判断される。
【００２６】
上記Ｓ２０の判断が肯定される場合すなわち連絡先の記入或いは記録（記憶）がある場合は、Ｓ２１において、たとえば図１０に示すリクエスト受付表示１が表示されてから本ルーチンが終了させられる。しかし、上記Ｓ２０の判断が否定される場合すなわち連絡先の記入がない場合には、Ｓ２２において、投票結果の連絡を求めるか否かを問うメッセージを含む図１１に示すリクエスト受付表示２が表示される。続いて、前記連絡要求入力判定手段５２に対応するＳ２３では、連絡先の登録を要求する入力が携帯電話機１２からあったか否かが判断される。このＳ２３の判断が否定される場合は本ルーチンが終了させられるが、肯定される場合は、図１９のＳ２４において、固有ＩＤに基づいて連絡先データベース３４が検索され、前記連絡先入力画面表示手段５４に対応するＳ２５において、連絡先を入力させるための図１３の画面が携帯電話機１２の画面に表示される。次いで、Ｓ２６において連絡先が携帯電話機１２から送信されたか否かが判断される。このＳ２６の判断が否定されるうちは待機させられるが、肯定された場合は、前記連絡先入力判定手段５８に対応するＳ２７において、連絡先データベース３４に新たに入力された連絡先が固有ＩＤに対応して記憶され、本ルーチンが終了させられる。
【００２７】
前記Ｓ８において、図７の個別メニューのうちの「投票」とは異なる他の項目が選択された場合は、図１９のＳ２８において、「投票状況の確認」すなわち投票内容の閲覧が携帯電話機１２により選択されたか否かが判断される。このＳ２８の判断が肯定される場合は、Ｓ２９において固有ＩＤに基づいて投票内容データベース３２が検索され、更に得られたリクエスト曲番号に基づいて投票リストデータベース３０が検索され、Ｓ３０において、その固有ＩＤに対応する投票内容すなわち上記所定の携帯電話機１２により投票されたリクエスト曲に対する投票状態を示すたとえば図１２の画面がその携帯電話機１２の画面に表示される。これにより、自分が投票したリクエスト曲の投票状態が把握できる。上記図１２の画面には更に投票数（得点数）などが各リクエスト曲毎に表示されてもよい。
【００２８】
次いで、前記連絡要求入力判定手段５２に対応するＳ３１において、図１２の画面のうちの「連絡希望」が選択されたか否かが判断される。このＳ３１の判断が否定される場合は本ルーチンが終了させられるが、肯定される場合は、前記Ｓ２４以下が前述と同様に実行される。
【００２９】
以上のルーチンがサーバ２２において繰り返し実行されるうち、管理用コンピュータ３８により図２０のルーチンが間欠的にたとえば週に１回、或いは月に２回程度の長い周期で繰り返し実行される。図２０のＳＡ１では、投票対象リストデータベース３０が検索され、前回の管理処理操作の後に新たに追加された投票対象曲に正規の番号が付与される。この正規の番号は、カラオケ装置において、その曲をリクエストするための選曲番号である。次いでＳＡ２では、投票内容データベース３２が検索され、たとえば投票数に基づいて当選曲が決定され、決定された当選曲が投票対象リストデータベース３０に記入される。上記ＳＡ１およびＳＡ２の一方或いは両方は手動操作によって行われてもよいが予め設定されたプログラムに従って自動処理されてもよい。続くＳＡ３では、今回の管理処理操作で当選したリクエスト曲すなわち入曲決定されたリクエスト曲がある場合、その入曲決定されたリクエスト曲番号に基づいて投票内容ＤＢ３２を検索して該当する固有ＩＤを抽出し、更に抽出した携帯電話機１２の固有ＩＤに基づいて連絡先ＤＢ３４を検索して連絡希望の有無が検索される。次いで、ＳＡ４では、入曲決定されたリクエスト曲について連絡希望があるか否かが判断される。このＳＡ４の判断が否定される場合は本ルーチンが終了させられるが、肯定される場合は、当選通知手段７８に対応するＳＡ５において、予め登録された連絡先へ電子メール、電話、ファクシミリなどを用いて図１５に示されるリクエスト曲の入曲決定案内が連絡される。
【００３０】
上述のように、本実施例のサーバ２２によれば、所定の投票対象（リクエスト曲）に対する投票内容の閲覧を要求する閲覧要求入力が携帯電話機（通信端末）１２から行われた場合には、その閲覧要求入力に基づいて投票内容を示す情報がその携帯電話機１２に表示されることから、投票者からの要求にしたがって投票状況すなわち投票内容を個別に知らせることができる。すなわち、閲覧要求入力判定手段７４（Ｓ２８）により所定の投票対象に対する投票内容の閲覧を要求する閲覧要求入力が携帯電話機（通信端末）１２から行われたと判定された場合には、投票内容データベース（投票内容記憶装置）３２に記憶されている複数の投票対象毎の投票内容が投票内容表示手段７６（Ｓ３０）により携帯電話機１２に表示させられることから、投票者からの要求にしたがって投票状況すなわち投票内容を個別に知らせることができ、投票を活発にすることができる。
【００３１】
また、本実施例によれば、携帯電話機（通信端末）１２による投票入力に応答して、その携帯電話機１２により投票されたリクエスト曲（投票対象）と共にその携帯電話機１２の固有ＩＤを投票内容データベース（投票内容記憶装置）３２に記憶させる投票対象固有ＩＤ記憶手段７２（Ｓ１８）と、その投票対象固有ＩＤ記憶手段７２により投票内容データベース３２に記憶されたリクエスト曲が当選した場合には、その当選したリクエスト曲に投票した携帯電話機１２へその固有ＩＤに基づいて当選の通知を行う当選通知手段７８（ＳＡ５）とを、さらに含むものであることから、リクエスト曲が当選した場合には、その当選を知らせる通知がそのリクエスト曲を投票した携帯電話機１２の固有ＩＤに対応する予め登録された連絡先へ送られるので、当選結果を直ちに知ることができる。
【００３２】
また、本実施例によれば、投票されたリクエスト曲が当選した場合の連絡先を前記固有ＩＤと共に記憶するための連絡先データベース（連絡先記憶装置）３４と、携帯電話機１２からの投票結果の通知を求める入力が行われたか否かを判定する連絡要求入力判定手段５２（Ｓ２８）と、その連絡要求入力判定手段５２により投票結果の通知を求める入力が判定された場合には、所定の携帯電話機１２の固有ＩＤに対応する連絡先の入力を求める画面をその携帯電話機１２に表示させる連絡先入力画面表示手段５４（Ｓ２５）とを、含むものであることから、連絡先が未だ連絡先データベース３４に記憶されていない場合には、その連絡先の入力を求める画面が携帯電話機１２に表示されるので、投票者の当選通知を求める要求に従ってその投票者の連絡先が登録される。
【００３３】
また、本実施例によれば、携帯電話機１２からの投票のためのアクセスが行われたときには、その携帯電話機１２による投票入力に先立って、投票対象リストデータベース（投票対象リスト記憶装置）３０に予め記憶された複数のリクエスト曲（投票対象）を示す投票対象リストをその携帯電話機１２に表示させる投票対象リスト表示手段６０（Ｓ９）と、その投票対象リスト表示手段６０により表示された複数のリクエスト曲に新たなリクエスト曲を追加する入力が携帯電話機１２により行われたか否かを判定する追加入力判定手段６４（Ｓ１２）と、その追加入力判定手段６４により追加入力が行われたと判定された場合には、その携帯電話機１２から入力された新たなリクエスト曲を投票対象リストデータベース３０に記憶させる投票対象記憶入力手段６８（Ｓ１５）とを、さらに含むものであることから、携帯電話機１２による投票時において投票対象リスト内に所望のリクエスト曲が存在しない場合には、その所望のリクエスト曲を投票対象リストに追加することができる。
【００３４】
以上、本発明の一実施例を図面に基づいて説明したが、本発明は他の態様においても適用される。
【００３５】
たとえば、前述の実施例では、通信端末として携帯電話機１２が用いられていたが、デスクトップコンピュータ、コンピュータが組み込まれたラジオやテレビのような家電製品などであってもよい。
【００３７】
また、前述の実施例では、プロバイダなどと称される情報サービス会社のサーバ２２の構成や作動が説明されていたが、電話会社内などの他の場所に設けられたサーバであってもよい。
【００３８】
以上、本発明の実施例を図面に基づいて詳細に説明したが、これはあくまでも一実施形態であり、本発明は当業者の知識に基づいて種々の変更，改良を加えた態様で実施することができる。
【図面の簡単な説明】
【図１】本発明の一実施例の通信端末を用いた投票装置のハード構成を説明するためのブロック図である。
【図２】図１の通信端末を用いた投票装置において予め記憶された投票対象リストのデータベースの内容を説明する図である。
【図３】図１の通信端末を用いた投票装置において予め記憶された投票内容データベースの内容を説明する図である。
【図４】図１の通信端末を用いた投票装置において予め記憶された連絡先データベースの内容を説明する図である。
【図５】図１の通信端末を用いた投票装置を構成するサーバの制御機能の要部すなわち投票制御機能を説明する機能ブロック線図である。
【図６】図１の携帯電話機が投票のためにアクセスしたときにその固有ＩＤがない場合に表示される、利用不可を示す画面を示す図である。
【図７】図１の携帯電話機が投票のためにアクセスしたとき、連絡先が登録されている場合にその携帯電話機に表示される個別メニューの画面を示す図である。
【図８】図１の携帯電話機が投票のためにアクセスしたとき、連絡先が登録されていない場合にその携帯電話機に表示される汎用メニューの画面を示す図である。
【図９】図１の携帯電話機が投票のためにアクセスしたとき、投票入力に先立ってその携帯電話機に表示される投票対象リストを表す画面を示す図である。
【図１０】図１の携帯電話機により投票入力が行われたとき、連絡先が既に登録されている場合にその携帯電話機に表示されるリクエストが受け付けられたことを示す画面を示す図である。
【図１１】図１の携帯電話機により投票入力が行われたとき、連絡先が未だ登録されていない場合にその携帯電話機に表示されるリクエストが受け付けられたことを示す画面を示す図である。
【図１２】図１の携帯電話機により投票内容の閲覧要求入力が行われたときにその携帯電話機に表示される投票内容を表わす画面を示す図である。
【図１３】図１の携帯電話機から投票結果の連絡要求入力があったときに、その連絡先の入力を求めるためにその携帯電話機に表示させる画面を示す図である。
【図１４】図１の携帯電話機から曲名追加入力があったときに、その追加曲名の入力を求めるためにその携帯電話機に表示させる画面を示す図である。
【図１５】図１の携帯電話機から投票されたリクエスト曲が当選した場合に、投票した携帯電話機の固有ＩＤに対応して記憶された連絡先に送信される連絡画面を示す図である。
【図１６】図１のサーバの制御作動の要部すなわち投票制御作動を説明するフローチャートの一部を示す図である。
【図１７】図１のサーバの制御作動の要部すなわち投票制御作動を説明するフローチャートの一部を示す図であって、曲名追加ルーチンを示している。
【図１８】図１のサーバの制御作動の要部すなわち投票制御作動を説明するフローチャートの他の一部を示す図である。
【図１９】図１のサーバの制御作動の要部すなわち投票制御作動を説明するフローチャートの残り他の一部を示す図である。
【図２０】図１の管理用コンピュータの制御作動の要部すなわち管理処理作動を説明するフローチャートを示す線図である。
【符号の説明】
１０：投票装置
１２：携帯電話機（通信端末）
２２：サーバ
３０：投票対象リストデータベース（投票対象リスト記憶装置）
３２：投票内容データベース（投票内容記憶装置）
３４：連絡先データベース（連絡先記憶装置）
５２：連絡要求入力判定手段
５４：連絡先入力表示手段
６０：投票対象リスト表示手段
６４：追加入力判定手段
６８：投票対象記憶入力手段
７４：閲覧要求入力判定手段
７６：投票内容表示手段
７２：投票対象固有ＩＤ記憶手段
７８：当選通知手段
【図１】
0004452325.tif 000002
【図２】
0004452325.tif 000003
【図３】
0004452325.tif 000004
【図４】
0004452325.tif 000005
【図５】
0004452325.tif 000006
【図６】
0004452325.tif 000007
【図７】
0004452325.tif 000008
【図８】
0004452325.tif 000009
【図９】
0004452325.tif 000010
【図１０】
0004452325.tif 000011
【図１１】
0004452325.tif 000012
【図１２】
0004452325.tif 000013
【図１３】
0004452325.tif 000014
【図１４】
0004452325.tif 000015
【図１５】
0004452325.tif 000016
【図１６】
0004452325.tif 000017
【図１７】
0004452325.tif 000018
【図１８】
0004452325.tif 000019
【図１９】
0004452325.tif 000020
【図２０】
0004452325.tif 000021